(57)【要約】【課題】干渉信号に応じて受信タイミングが制御されることで非干渉信号の継続的な受信が途切れてしまうのを防止すること。【解決手段】強度が閾値を下回る信号を排除するフィルタと、自装置が接続しているネットワークで送受信される非干渉信号と、自装置が接続していないネットワークで送受信される干渉信号とを判別する信号判別部と、干渉信号が前記フィルタを通過した場合に、前記フィルタにより当該干渉信号が排除されるレベルまで前記閾値を引き上げる閾値調整部と、を備える、無線通信装置が提供される。【選択図】図７
2012195816.tif 000002
【特許請求の範囲】
【請求項１】
強度が閾値を下回る信号を排除するフィルタと、
自装置が接続しているネットワークで送受信される非干渉信号と、自装置が接続していないネットワークで送受信される干渉信号とを判別する信号判別部と、
干渉信号が前記フィルタを通過した場合に、前記フィルタにより当該干渉信号が排除されるレベルまで前記閾値を引き上げる閾値調整部と、
を備える、
無線通信装置。
【請求項２】
前記閾値調整部による閾値の調整後に、前記自装置が接続しているネットワーク内の他の無線通信装置に対して信号を送信する信号送信部と、
前記信号送信部により送信された信号に応じて前記他の無線通信装置から送信される応答信号を受信する信号受信部と、
前記信号受信部により応答信号が受信される期間を予測する受信期間予測部と、
をさらに備え、
前記閾値調整部は、前記受信期間予測部により予測された期間だけ一時的に前記閾値を引き下げる、
請求項１に記載の無線通信装置。
【請求項３】
前記閾値調整部による閾値の調整後に、前記自装置が接続しているネットワーク内の他の無線通信装置に対して応答信号の送信を要求する信号要求部と、
前記信号要求部による要求後、少なくとも１台の前記他の無線通信装置から前記応答信号を受信できなかった場合にチャンネルを変更するチャンネル変更部と、
をさらに備える、
請求項１に記載の無線通信装置。
【請求項４】
前記閾値調整部による閾値の調整後に、前記自装置が接続しているネットワーク内の他の無線通信装置に対して応答信号の送信を要求する信号要求部をさらに備え、
前記閾値調整部は、前記信号要求部による要求後、少なくとも１台の前記他の無線通信装置から前記応答信号を受信できなかった場合に前記閾値を引き下げる、
請求項１に記載の無線通信装置。
【請求項５】
前記閾値調整部は、前記信号要求部による要求後、少なくとも１台の前記他の無線通信装置から前記応答信号を受信できなかった場合に、全ての前記他の無線通信装置から前記応答信号が受信されるまで前記閾値を段階的に引き下げる、
請求項４に記載の無線通信装置。
【請求項６】
前記信号要求部による要求後、少なくとも１台の前記他の無線通信装置から前記応答信号を受信できなかった場合に、前記応答信号を受信できなかった前記他の無線通信装置を識別するための識別情報を表示する情報表示部をさらに備える、
請求項４に記載の無線通信装置。
【請求項７】
前記非干渉信号は、ストリーミング配信された映像又は音声を少なくとも含む、
請求項１に記載の無線通信装置。
【請求項８】
強度が第１の閾値を下回る信号を排除する第１のフィルタと、
自装置が接続しているネットワークで送受信される非干渉信号と、自装置が接続していないネットワークで送受信される干渉信号とを判別する第１の信号判別部と、
干渉信号が前記第１のフィルタを通過した場合に、前記第１のフィルタにより当該干渉信号が排除されるレベルまで前記第１の閾値を引き上げる第１の閾値調整部と、
を有する、第１の無線通信装置と、
強度が第２の閾値を下回る信号を排除する第２のフィルタと、
自装置が接続しているネットワークで送受信される非干渉信号と、自装置が接続していないネットワークで送受信される干渉信号とを判別する第２の信号判別部と、
干渉信号が前記第２のフィルタを通過した場合に、前記第２のフィルタにより当該干渉信号が排除されるレベルまで前記第２の閾値を引き上げる第２の閾値調整部と、
を有し、前記ネットワークを介して前記第１の無線通信装置に接続された第２の無線通信装置と、
を含み、
前記第１の無線通信装置は、ストリーミング配信された映像又は音声を少なくとも含む非干渉信号を前記ネットワークを介して前記第２の無線通信装置に送信する、
無線通信システム。
【請求項９】
強度が閾値を下回る信号を排除するフィルタを有する無線通信装置が、
自装置が接続しているネットワークで送受信される非干渉信号と、自装置が接続していないネットワークで送受信される干渉信号とを判別する信号判別ステップと、
干渉信号が前記フィルタを通過した場合に、前記フィルタにより当該干渉信号が排除されるレベルまで前記閾値を引き上げる閾値調整ステップと、
を含む、
感度調整方法。
【発明の詳細な説明】
【技術分野】
【０００１】
本技術は、無線通信装置、無線通信システム、及び感度調整方法に関する。
【背景技術】
【０００２】
映像や音声などのデータをストリーミング配信する技術が広く利用されている。また、一般家庭においても無線ネットワークが普及してきている。そのため、無線ネットワークを介して、ストリーミング配信された映像や音声などのデータを再生装置に伝送する技術に注目が集まっている。但し、継続的に供給されるデータを途切れることなく無線伝送することは難しい。例えば、ＩＥＥＥ８０２．１１に基づく無線ネットワークを利用する場合、キャリアセンスレベルを超える強度の干渉電波を受けると、ＣＳＭＡ／ＣＡに基づく受信タイミングの制御が働き、データの受信が滞ってしまう。なお、下記の特許文献１、２には、外来ノイズや解読不能な信号を除去するために受信感度レベルを自動調整する技術が開示されている。
【先行技術文献】
【特許文献】
【０００３】
【特許文献１】特開平９−１９１３１１号公報
【特許文献２】特開２００９−１９３１７６号公報
【発明の概要】
【発明が解決しようとする課題】
【０００４】
しかし、上記の特許文献１、２に記載の技術を用いても、近隣の無線ネットワーク内で送受信される解読可能なデータを干渉電波として排除することは難しい。そこで、本技術は、上記のような事情を受けて考案されたものであり、干渉信号に応じて受信タイミングが制御されることで非干渉信号の継続的な受信が途切れてしまうのを防止することが可能な、新規かつ改良された無線通信装置、無線通信システム、及び感度調整方法を提供することを意図している。
【課題を解決するための手段】
【０００５】
上記課題を解決するために、本技術のある観点によれば、強度が閾値を下回る信号を排除するフィルタと、自装置が接続しているネットワークで送受信される非干渉信号と、自装置が接続していないネットワークで送受信される干渉信号とを判別する信号判別部と、干渉信号が前記フィルタを通過した場合に、前記フィルタにより当該干渉信号が排除されるレベルまで前記閾値を引き上げる閾値調整部と、を備える、無線通信装置が提供される。
【０００６】
また、上記の無線通信装置は、前記閾値調整部による閾値の調整後に、前記自装置が接続しているネットワーク内の他の無線通信装置に対して信号を送信する信号送信部と、前記信号送信部により送信された信号に応じて前記他の無線通信装置から送信される応答信号を受信する信号受信部と、前記信号受信部により応答信号が受信される期間を予測する受信期間予測部と、をさらに備えていてもよい。この場合、前記閾値調整部は、前記受信期間予測部により予測された期間だけ一時的に前記閾値を引き下げる。
【０００７】
また、上記の無線通信装置は、前記閾値調整部による閾値の調整後に、前記自装置が接続しているネットワーク内の他の無線通信装置に対して応答信号の送信を要求する信号要求部と、前記信号要求部による要求後、少なくとも１台の前記他の無線通信装置から前記応答信号を受信できなかった場合にチャンネルを変更するチャンネル変更部と、をさらに備えていてもよい。
【０００８】
また、上記の無線通信装置は、前記閾値調整部による閾値の調整後に、前記自装置が接続しているネットワーク内の他の無線通信装置に対して応答信号の送信を要求する信号要求部をさらに備えていてもよい。この場合、前記閾値調整部は、前記信号要求部による要求後、少なくとも１台の前記他の無線通信装置から前記応答信号を受信できなかった場合に前記閾値を引き下げる。
【０００９】
また、前記閾値調整部は、前記信号要求部による要求後、少なくとも１台の前記他の無線通信装置から前記応答信号を受信できなかった場合に、全ての前記他の無線通信装置から前記応答信号が受信されるまで前記閾値を段階的に引き下げるように構成されていてもよい。
【００１０】
また、上記の無線通信装置は、前記信号要求部による要求後、少なくとも１台の前記他の無線通信装置から前記応答信号を受信できなかった場合に、前記応答信号を受信できなかった前記他の無線通信装置を識別するための識別情報を表示する情報表示部をさらに備えていてもよい。
【００１１】
また、前記非干渉信号は、ストリーミング配信された映像又は音声を少なくとも含むものであってもよい。
【００１２】
また、上記課題を解決するために、本技術の別の観点によれば、強度が第１の閾値を下回る信号を排除する第１のフィルタと、自装置が接続しているネットワークで送受信される非干渉信号と、自装置が接続していないネットワークで送受信される干渉信号とを判別する第１の信号判別部と、干渉信号が前記第１のフィルタを通過した場合に、前記第１のフィルタにより当該干渉信号が排除されるレベルまで前記第１の閾値を引き上げる第１の閾値調整部と、を有する、第１の無線通信装置と、強度が第２の閾値を下回る信号を排除する第２のフィルタと、自装置が接続しているネットワークで送受信される非干渉信号と、自装置が接続していないネットワークで送受信される干渉信号とを判別する第２の信号判別部と、干渉信号が前記第２のフィルタを通過した場合に、前記第２のフィルタにより当該干渉信号が排除されるレベルまで前記第２の閾値を引き上げる第２の閾値調整部と、を有し、前記ネットワークを介して前記第１の無線通信装置に接続された第２の無線通信装置と、を含み、前記第１の無線通信装置は、ストリーミング配信された映像又は音声を少なくとも含む非干渉信号を前記ネットワークを介して前記第２の無線通信装置に送信する、無線通信システムが提供される。
【００１３】
また、上記課題を解決するために、本技術の別の観点によれば、強度が閾値を下回る信号を排除するフィルタを有する無線通信装置が、自装置が接続しているネットワークで送受信される非干渉信号と、自装置が接続していないネットワークで送受信される干渉信号とを判別する信号判別ステップと、干渉信号が前記フィルタを通過した場合に、前記フィルタにより当該干渉信号が排除されるレベルまで前記閾値を引き上げる閾値調整ステップと、を含む、感度調整方法が提供される。
【発明の効果】
【００１４】
以上説明したように本技術によれば、干渉信号に応じて受信タイミングが制御されることで非干渉信号の継続的な受信が途切れてしまうのを防止することが可能になる。
【図面の簡単な説明】
【００１５】
【図１】電波干渉による影響について説明するための説明図である。
【図２】音声配信システムの構成例を示した説明図である。
【図３】音声配信システムの構成例を示した説明図である。
【図４】アクセスポイントの機能構成例を示した説明図である。
【図５】音声出力装置の機能構成例を示した説明図である。
【図６】音声再生装置の機能構成例を示した説明図である。
【図７】本実施形態に係る無線処理部の機能構成例を示した説明図である。
【図８】本実施形態に係る感度調整方法について説明するための説明図である。
【図９】本実施形態に係る感度調整方法について説明するための説明図である。
【図１０】本実施形態に係る感度調整方法について説明するための説明図である。
【図１１】本実施形態に係る感度調整方法について説明するための説明図である。
【図１２】本実施形態に係る感度調整方法（変形例＃１）について説明するための説明図である。
【図１３】本実施形態に係る感度調整方法（変形例＃１）について説明するための説明図である。
【図１４】本実施形態に係る感度調整方法（変形例＃２）について説明するための説明図である。
【図１５】本実施形態に係る感度調整方法（変形例＃２）について説明するための説明図である。
【図１６】本実施形態に係る感度調整方法について説明するための説明図である。
【図１７】本実施形態に係る感度調整方法について説明するための説明図である。
【図１８】本実施形態に係る感度調整方法について説明するための説明図である。
【発明を実施するための形態】
【００１６】
以下に添付図面を参照しながら、本技術に係る好適な実施の形態について詳細に説明する。なお、本明細書及び図面において、実質的に同一の機能構成を有する構成要素については、同一の符号を付することにより重複説明を省略する。
【００１７】
［説明の流れについて］
ここで、以下に記載する説明の流れについて簡単に述べる。
【００１８】
まず、図１を参照しながら、電波干渉による影響について説明する。次いで、図２及び図３を参照しながら、音声配信システム１００の構成例について説明する。次いで、図４を参照しながら、アクセスポイント１１０の構成例について説明する。次いで、図５を参照しながら、音声出力装置１２０の構成例について説明する。次いで、図６を参照しながら、音声再生装置１３０の構成例について説明する。次いで、図７を参照しながら、本実施形態に係る無線処理部１１４、１２４、１３４の構成例について説明する。次いで、図８〜図１８を参照しながら、本実施形態に係る感度調整方法について説明する。
【００１９】
最後に、本実施形態に係る技術的思想について纏め、当該技術的思想から得られる作用効果について簡単に説明する。
【００２０】
（説明項目）
１：はじめに
１−１：電波干渉の影響について
１−２：音声配信システム１００の構成例
１−２−１：システム構成
１−２−２：アクセスポイント１１０の構成例
１−２−３：音声出力装置１２０の構成例
１−２−４：音声再生装置１３０の構成例
１−３：ストリーミング配信について
２：実施形態
２−１：無線処理部１１４、１２４、１３４の構成例について
２−２：感度調整方法（アクセスポイント１１０の場合）
２−２−１：基本構成
２−２−２：変形例＃１（チャンネル変更）
２−２−３：変形例＃２（段階的な感度の緩和）
２−３：感度調整方法（端末の場合）
２−４：ＡＣＫを確実に受信するための構成
３：まとめ
【００２１】
＜１：はじめに＞
はじめに、音声や映像などのデータを無線ネットワークによりストリーミング配信する状況で電波干渉がストリーミング配信に及ぼす影響について述べる。なお、以下の説明においては、無線ネットワークの一例として無線ＬＡＮ（Ｌｏｃａｌ  Ａｒｅａ  Ｎｅｔｗｏｒｋ）を考える。また、ストリーミング配信されるデータの一例として音声データを考える。もちろん、映像データのストリーミング配信についても同様に考えることができる。
【００２２】
［１−１：電波干渉の影響について］
無線ＬＡＮの新たな用途として、ストリーミング配信された音声や映像などのデータを無線ＬＡＮにより家庭内で伝送する用途が検討されている。これまで、無線ＬＡＮの技術は、通信到達距離を少しでも長くすることや、スループットを少しでも向上させることを目指して改良が重ねられてきた。例えば、受信感度の調整法に関し、通信到達距離を少しでも長くするために受信感度を向上させるための技術改良が進められてきた。一方、受信感度を高めることにより不要な干渉電波を受信してしまうため、そうした不要な干渉電波を排除するための技術改良が進められてきた。
【００２３】
受信感度の向上は、干渉電波を無視できるような環境において性能の向上に直結する。一方で、住宅密集地など、無線ＬＡＮの電波が飛び交う環境においては干渉の頻度が増大し、結果として接続不良やスループットの低下を引き起こしてしまう。こうした理由から受信感度の設定は、環境や用途に応じて適切に行われることが好ましい。では、ストリーミング配信される音声データを家庭内で無線ＬＡＮにより伝送するには、どのような受信感度に設定すればよいのだろうか。この疑問について少し検討してみたい。
【００２４】
無線ＬＡＮにより音声データを家庭内でストリーミング配信する場合、音声データの無線伝送に要求される要件は、音声データの無線伝送に用いるネットワークに接続された機器が円滑に通信を行えることである。つまり、家庭内のネットワークに接続された機器間で十分なスループットが得られ、途切れることなく音声データが無線伝送されることが要件になる。従って、通信到達距離は、家庭内のネットワークに接続された機器間の距離で十分である。しかしながら、外来ノイズの他に、隣家など、近隣の場所で発信された電波の干渉は避けられない。
【００２５】
例えば、ＩＥＥＥ８０２．１１規格に基づく無線ＬＡＮの場合、電波干渉による伝送品質の低下を避ける仕組みとしてＣＳＭＡ／ＣＡが採用されている。ＣＳＭＡ／ＣＡによると、対象機器が他の機器から送信された電波を受けている場合、他の機器が電波の送信が止むまでの間、対象機器は電波の送信を禁じられることになっている。電波の送信を禁じられた状態が長く続くと、音声データの伝送が途切れてしまう。また、この状態が頻繁に起きると、ストリーミング配信に耐えるスループットが得られなくなってしまう。
【００２６】
このような状態を避けるため、環境に応じて適切に設定することが好ましい。しかしながら、電波干渉の影響は、ユーザが利用している無線環境や家屋の構造などに依存する。そのため、機器を製造しているメーカーが工場出荷時に適切な感度調整を行うことは難しい。こうした理由から、環境に応じて受信感度を自動調整する技術の検討が進められている。
【００２７】
例えば、図１のモデルを考える。図１は、家屋１０内に設置されたアクセスポイント１２が受ける干渉電波のモデルを示した説明図である。図１には、隣接する家屋１０、２０が記載されている。また、家屋１０には、無線通信端末１１及びアクセスポイント１２が設置されているものとする。同様に、家屋２０には、無線通信端末２１及びアクセスポイント２２が設置されているものとする。
【００２８】
いま、家屋１０内で無線通信端末１１とアクセスポイント１２とが無線通信しているものとしよう。また、家屋２０内で無線通信端末２１とアクセスポイント２２とが無線通信しているものと仮定する。この場合、無線通信端末１１とアクセスポイント１２との間で電波（非干渉電波）が送受信されている。一方、無線通信端末２１とアクセスポイント２２との間で送受信される電波は、一部が干渉電波としてアクセスポイント１２に到達してしまう。また、家屋２０以外の場所からもアクセスポイント１２に干渉電波が到達することが考えられる。
【００２９】
物理的な距離や遮蔽物の存在により干渉電波の強度は弱まる。そのため、無線ＬＡＮの帯域内にある電波であっても、強度の弱まった電波は、識別不能な品質のノイズに過ぎない。一方、隣接する家屋２０内で飛び交う電波は、家屋１０に到達した段階でも十分に強度が弱まっておらず、識別可能な品質の信号としてアクセスポイント１２に到達してしまうことがある。なお、ここではアクセスポイント１２に注目したが、無線通信端末１１も干渉電波の影響を受けている。但し、ここではアクセスポイント１２に注目して話を進める。
【００３０】
アクセスポイント１２に到達する電波のうち、無線通信端末１１から送信された非干渉電波が最も強いと考えられる。そして、アクセスポイント２２又は無線通信端末２１から送信された干渉電波が次に強いと考えられる。但し、どちらの干渉電波が強いかは環境に依存する。ここではアクセスポイント２２から送信された干渉電波の方が無線通信端末２１から送信された干渉電波よりも強いと仮定する。なお、家屋２０以外の場所から送信された干渉電波は、アクセスポイント２２又は無線通信端末２１から送信された干渉電波よりも弱いと仮定する。
【００３１】
ＣＳＭＡ／ＣＡによると、干渉電波の強度がキャリアセンスレベルを超えた場合、その干渉電波を送信した他の機器が送信を停止するまで、アクセスポイント１２は送信待機状態となる。例えば、アクセスポイント２２から送信された干渉電波の強度がキャリアセンスレベルを超えた場合、アクセスポイント１２は、アクセスポイント２２が電波を送信している間、送信を禁じられてしまう。住宅密集地などでは、隣接する家屋に設置された機器から送信された電波の強度がキャリアセンスレベルを超えることが頻繁にある。そのため、こうした環境ではデータの伝送が頻繁に滞ってしまう。
【００３２】
先に述べたように、家庭内の無線ＬＡＮを利用して音声データをストリーミング配信する用途であれば、無線ＬＡＮの通信到達距離は、家庭内にある機器間の距離に制限してもよい。従って、図１のモデルで言えば、家屋１０の外にある機器（例えば、無線通信端末２１やアクセスポイント２２）から送信される電波を感知しないようにすることが好ましい。
【００３３】
音声データをストリーミング配信するには十分な伝送速度が必要になる。伝送速度が十分でないと音声が途切れてしまう。例えば、サンプリング周波数＝４８ｋＨｚ、量子化ビット数＝１６ビット、ステレオの条件下で、音声が途切れずに伝送される十分な伝送速度は、約１．５Ｍｂｐｓである。ＩＥＥＥ８０２．１１ｂ／ｇの場合、実効伝送速度が物理伝送速度の約５０％と考えられるので、何も障害が無い状態でも３Ｍｂｐｓ以上という高速な物理伝送速度が求められることになる。そのため、音声データをストリーミング配信する場合には、実効伝送速度を下げる要因を極力排除する努力が求められる。
【００３４】
以上、電波干渉の影響について説明した。ここでは音声データのストリーミング配信を例に挙げたが、映像データのストリーミング配信についても同様である。
【００３５】
［１−２：音声配信システム１００の構成例］
次に、図２〜図６を参照しながら、音声データのストリーミング配信を実現することが可能な音声配信システム１００の構成例について述べる。
【００３６】
（１−２−１：システム構成）
まず、図２及び図３を参照しながら、音声配信システム１００のシステム構成について述べる。図２及び図３は、音声配信システム１００のシステム構成例を示した説明図である。
【００３７】
（例１）
図２に示すように、音声配信システム１００は、例えば、アクセスポイント１１０及び音声出力装置１２０により構成することができる。この構成の場合、音声データは、有線でアクセスポイント１１０に入力される。音声データが入力されると、アクセスポイント１１０は、入力された音声データを音声出力装置１２０に無線伝送する。音声データを受信すると、音声出力装置１２０は、受信した音声データを出力する。このように、アクセスポイント１１０と音声出力装置１２０との間を無線ＬＡＮにより接続する構成が考えられる。
【００３８】
（例２）
また、図３に示すように、音声配信システム１００は、例えば、アクセスポイント１１０、音声出力装置１２０、及び音声再生装置１３０により構成することもできる。この構成の場合、音声データは、音声再生装置１３０からアクセスポイント１１０に無線伝送される。音声データを受信すると、アクセスポイント１１０は、受信した音声データを音声出力装置１２０に無線伝送する。音声データを受信すると、音声出力装置１２０は、受信した音声データを出力する。このように、音声再生装置１３０とアクセスポイント１１０との間、及び、アクセスポイント１１０と音声出力装置１２０との間を無線ＬＡＮにより接続する構成が考えられる。
【００３９】
以上、音声配信システム１００のシステム構成例について説明した。但し、音声配信システム１００のシステム構成例はこれに限定されない。
【００４０】
（１−２−２：アクセスポイント１１０の構成例）
次に、図４を参照しながら、アクセスポイント１１０の構成例について説明する。図４は、アクセスポイント１１０の構成例を示した説明図である。
【００４１】
図４に示すように、アクセスポイント１１０は、主に、アンテナ１１１と、アンテナスイッチ１１２と、ＲＦ処理部１１３と、無線処理部１１４と、制御部１１５（ＭＣＵ：マイクロコントローラユニット）と、メモリ１１６とにより構成される。なお、図４の例には、アンテナスイッチ１１２により送受信を切り替える仕組みを用いて１本のアンテナ１１１を送信及び受信に利用する構成が記載されているが、送信アンテナと受信アンテナとを別に設けてもよい。
【００４２】
（受信時の動作）
まず、受信時の動作について説明する。
【００４３】
アンテナ１１１により受信された信号は、アンテナスイッチ１１２を介してＲＦ処理部１１３に入力される。信号が入力されると、ＲＦ処理部１１３は、信号の増幅、検波、復調など、信号をデジタル化する前段の処理を実行する。ＲＦ処理部１１３から出力された信号は、無線処理部１１４に入力される。無線処理部１１４は、入力された信号をデジタル信号に変換する。次いで、無線処理部１１４は、デジタル信号から送信元のＥＳＳ−ＩＤを抽出する。次いで、無線処理部１１４は、抽出したＥＳＳ−ＩＤと自身が保持するＥＳＳ−ＩＤとを照合し、入力された信号がネットワーク接続先から送信された信号か否かを判別する。
【００４４】
また、無線処理部１１４は、デジタル信号に含まれる制御コマンドを解読し、その制御コマンドに応じて信号の送受信を制御する。さらに、無線処理部１１４は、パケットからデータを取り出したり、データの送受信に関する処理を制御したりする。また、無線処理部１１４は、後述するように受信感度を設定する機能を有する。なお、無線処理部１１４によりヘッダなどの冗長部分が取り除かれたデータは、メモリ１１６に格納される。また、アンテナスイッチ１１２、ＲＦ処理部１１３、無線処理部１１４の動作は制御部１１５により制御される。
【００４５】
（送信時の動作）
次に、送信時の動作について説明する。
【００４６】
まず、無線処理部１１４は、メモリ１１６に格納されたデータを読み出す。次いで、無線処理部１１４は、無線プロトコルに従ってデータを変換し、付随情報などを付加してデジタル信号を生成する。次いで、無線処理部１１４は、デジタル信号をアナログ信号に変換する。無線処理部１１４から出力されたアナログ信号は、ＲＦ処理部１１３に入力される。アナログ信号が入力されると、ＲＦ処理部１１３は、入力されたアナログ信号をキャリア変調する。さらに、ＲＦ処理部１１３は、キャリア変調したアナログ信号を電力増幅し、アンテナスイッチ１１２を介してアンテナ１１１から送信する。
【００４７】
以上、アクセスポイント１１０の構成例について説明した。
【００４８】
（１−２−３：音声出力装置１２０の構成例）
次に、図５を参照しながら、音声出力装置１２０の構成例について説明する。図５は、音声出力装置１２０の構成例を示した説明図である。
【００４９】
図５に示すように、音声出力装置１２０は、主に、アンテナ１２１と、アンテナスイッチ１２２と、ＲＦ処理部１２３と、無線処理部１２４と、音声処理部１２５と、制御部１２６（ＭＣＵ）と、音声出力部１２７と、メモリ１２８とにより構成される。なお、図５の例には、アンテナスイッチ１２２により送受信を切り替える仕組みを用いて１本のアンテナ１２１を送信及び受信に利用する構成が記載されているが、送信アンテナと受信アンテナとを別に設けてもよい。
【００５０】
（受信時の動作）
まず、受信時の動作について説明する。
【００５１】
アンテナ１２１により受信された信号は、アンテナスイッチ１２２を介してＲＦ処理部１２３に入力される。信号が入力されると、ＲＦ処理部１２３は、信号の増幅、検波、復調など、信号をデジタル化する前段の処理を実行する。ＲＦ処理部１２３から出力された信号は、無線処理部１２４に入力される。無線処理部１２４は、入力された信号をデジタル信号に変換する。次いで、無線処理部１２４は、デジタル信号から送信元のＥＳＳ−ＩＤを抽出する。次いで、無線処理部１２４は、抽出したＥＳＳ−ＩＤと自身が保持するＥＳＳ−ＩＤとを照合し、入力された信号がネットワーク接続先から送信された信号か否かを判別する。
【００５２】
また、無線処理部１２４は、デジタル信号に含まれる制御コマンドを解読し、その制御コマンドに応じて信号の送受信を制御する。さらに、無線処理部１２４は、パケットからデータを取り出したり、データの送受信に関する処理を制御したりする。また、無線処理部１２４は、後述するように受信感度を設定する機能を有する。なお、無線処理部１２４によりヘッダなどの冗長部分が取り除かれたデータは、音声処理部１２５に入力される。例えば、音声処理部１２５には、メタデータなどの情報データ、音声データ、制御部１２６の要求に応じて出力されるデータなどが入力される。
【００５３】
無線処理部１２４から出力される音声データは、デジタル音声フォーマットで規定されるサンプリング周波数に同期していない。そのため、音声処理部１２５は、入力された音声データをメモリ１２８に格納する。そして、音声処理部１２５は、デジタル音声フォーマットで規定されるサンプリング周波数に同期してメモリ１２８から音声データを読み出し、音声出力部１２７に入力する。音声出力部１２７は、入力された音声データを出力する。なお、アンテナスイッチ１２２、ＲＦ処理部１２３、無線処理部１２４、音声処理部１２５の動作は制御部１２６により制御される。
【００５４】
（送信時の動作）
次に、送信時の動作について説明する。
【００５５】
まず、無線処理部１２４は、無線プロトコルに従って制御部１２６から出力された送信データを変換し、付随情報などを付加してデジタル信号を生成する。次いで、無線処理部１２４は、デジタル信号をアナログ信号に変換する。無線処理部１２４から出力されたアナログ信号は、ＲＦ処理部１２３に入力される。アナログ信号が入力されると、ＲＦ処理部１２３は、入力されたアナログ信号をキャリア変調する。さらに、ＲＦ処理部１２３は、キャリア変調したアナログ信号を電力増幅し、アンテナスイッチ１２２を介してアンテナ１２１から送信する。
【００５６】
以上、音声出力装置１２０の構成例について説明した。
【００５７】
（１−２−４：音声再生装置１３０の構成例）
次に、図６を参照しながら、音声再生装置１３０の構成例について説明する。図６は、音声再生装置１３０の構成例を示した説明図である。
【００５８】
図６に示すように、音声再生装置１３０は、主に、アンテナ１３１と、アンテナスイッチ１３２と、ＲＦ処理部１３３と、無線処理部１３４と、音声処理部１３５と、制御部１３６（ＭＣＵ）と、音声再生部１３７と、メモリ１３８とにより構成される。なお、図６の例には、アンテナスイッチ１３２により送受信を切り替える仕組みを用いて１本のアンテナ１３１を送信及び受信に利用する構成が記載されているが、送信アンテナと受信アンテナとを別に設けてもよい。
【００５９】
（受信時の動作）
まず、受信時の動作について説明する。
【００６０】
アンテナ１３１により受信された信号は、アンテナスイッチ１３２を介してＲＦ処理部１３３に入力される。信号が入力されると、ＲＦ処理部１３３は、信号の増幅、検波、復調など、信号をデジタル化する前段の処理を実行する。ＲＦ処理部１３３から出力された信号は、無線処理部１３４に入力される。無線処理部１３４は、入力された信号をデジタル信号に変換する。次いで、無線処理部１３４は、デジタル信号から送信元のＥＳＳ−ＩＤを抽出する。次いで、無線処理部１３４は、抽出したＥＳＳ−ＩＤと自身が保持するＥＳＳ−ＩＤとを照合し、入力された信号がネットワーク接続先から送信された信号か否かを判別する。
【００６１】
また、無線処理部１３４は、デジタル信号に含まれる制御コマンドを解読し、その制御コマンドに応じて信号の送受信を制御する。さらに、無線処理部１３４は、パケットからデータを取り出したり、データの送受信に関する処理を制御したりする。また、無線処理部１３４は、後述するように受信感度を設定する機能を有する。なお、無線処理部１３４によりヘッダなどの冗長部分が取り除かれたデータは、制御部１３６に入力される。なお、アンテナスイッチ１３２、ＲＦ処理部１３３、無線処理部１３４、音声処理部１３５の動作は制御部１３６により制御される。
【００６２】
（送信時の動作）
次に、送信時の動作について説明する。
【００６３】
まず、音声再生部１３７は、記録媒体やテレビジョン受像器などから音声データを取得し、デジタル音声フォーマットで規定されるサンプリング周波数に同期して音声処理部１３５に入力する。音声データが入力されると、音声処理部１３５は、入力された音声データをメモリ１３８に格納する。そして、音声処理部１３５は、無線処理部１３４の要求に応じてメモリ１３８から音声データを読み出し、読み出した音声データを無線処理部１３４に入力する。
【００６４】
次いで、無線処理部１３４は、無線プロトコルに従って音声データを変換し、付随情報などを付加してデジタル信号を生成する。次いで、無線処理部１３４は、デジタル信号をアナログ信号に変換する。無線処理部１３４から出力されたアナログ信号は、ＲＦ処理部１３３に入力される。アナログ信号が入力されると、ＲＦ処理部１３３は、入力されたアナログ信号をキャリア変調する。さらに、ＲＦ処理部１３３は、キャリア変調したアナログ信号を電力増幅し、アンテナスイッチ１３２を介してアンテナ１３１から送信する。
【００６５】
以上、音声再生装置１３０の構成例について説明した。なお、音声再生装置１３０は、図示しない音声出力部をさらに有していてもよい。
【００６６】
［１−３：ストリーミング配信について］
上記のように、アンテナ１２１、１３１から無線処理部１２４、１３４までのブロックで実行される無線動作の物理的な基準となる規定は、音声データの入出力に関する基準とは異なる。つまり、送受信のタイミング、パケットサイズ、伝送速度などは、デジタル音声フォーマットで規定されるサンプリング周波数とは同期していない。そのため、音声処理部１２５、１３５は、メモリ１２８、１３８に音声データを格納し、音声データの出力タイミングを調整する。そのため、無線ＬＡＮを利用して音声データを途切れずに配信するには、無線ＬＡＮの実効的な伝送速度≫音声データのサンプリング速度という関係を満たす必要がある。従って、ＣＳＭＡ／ＣＡなどのタイミング制御を受けて実効的なスループットの低下が発生するのを防止する施策が求められる。
【００６７】
こうした事情を受け、本件発明者は、自分のネットワーク上に無い機器から送信された電波を判別し、その電波を受信しないように感度調整を行う仕組みを考案した。この仕組みを利用することで、家庭内の無線ＬＡＮを利用して音声データのストリーミング配信を円滑に行うことが可能になる。なお、ここでは無線ＬＡＮを例に挙げて説明するが、Ｂｌｕｅｔｏｏｔｈ（登録商標）や他の無線通信手段を用いても同様の仕組みを構築することが可能である。また、音声データのストリーミング配信を例に挙げて説明するが、映像データなど、他種類のデータをストリーミング配信する場合にも同じ仕組みを適用することができる。以下、この仕組みについて、より詳細に説明する。
【００６８】
＜２：実施形態＞
本技術の一実施形態について説明する。本実施形態は、上記の無線処理部１１４、１２４、１３４の機能に関する。
【００６９】
［２−１：無線処理部１１４、１２４、１３４の構成例について］
まず、図７を参照しながら、本実施形態に係る無線処理部１１４、１２４、１３４の構成例について説明する。図７は、本実施形態に係る無線処理部１１４、１２４、１３４の構成例を示した説明図である。但し、図７に示した構成例は、無線処理部１１４、１２４、１３４を構成する要素のうち、本実施形態に係る一部の要素（受信ブロック）を抜粋したものである。
【００７０】
図７に示すように、無線処理部１１４、１２４、１３４の受信ブロックは、ＡＤコンバータ１４１と、フィルタ１４２と、復調部１４３と、ＭＡＣ処理部１４４と、ＲＳＳＩ検出部１４５と、遅延処理部１４６とを含む。なお、ＲＳＳＩは、Ｒｅｃｅｉｖｅｄ  Ｓｉｇｎａｌ  Ｓｔｒｅｎｇｔｈ  Ｉｎｄｉｃａｔｉｏｎの略である。また、ＭＡＣは、Ｍｅｄｉａ  Ａｃｃｅｓｓ  Ｃｏｎｔｒｏｌの略である。
【００７１】
ＡＤコンバータ１４１には、ＲＦ処理部１１３、１２３、１３３により中間周波数（ＩＦ）に変換された信号（以下、ＩＦ信号）が入力される。ＡＤコンバータ１４１は、入力されたアナログのＩＦ信号をデジタル信号に変換し、フィルタ１４２及びＲＳＳＩ検出部１４５に入力する。フィルタ１４２は、入力されたデジタル信号の強度が閾値を上回る場合に、そのデジタル信号を復調部１４３に入力する。つまり、フィルタ１４２の閾値は受信感度を決定する。復調部１４３は、フィルタ１４２を通過したデジタル信号を復調し、パケットの内容が判読可能なフォーマットに変換された信号をＭＡＣ処理部１４４に入力する。
【００７２】
ＭＡＣ処理部１４４は、パケットを送信した機器、その機器が属するネットワーク、そのパケットが送信される機器を判別する。自身が接続しているネットワーク内の機器から送信されたパケットであった場合、ＭＡＣ処理部１４４は、パケットの内容を解読し、所定の処理を施して後段のブロックに出力する。一方、自身が接続していないネットワーク内の機器から送信されたパケットであった場合、ＭＡＣ処理部１４４は、後述する受信感度の調整を実行する。
【００７３】
ＲＳＳＩ検出部１４５は、入力されたデジタル信号の強度（ＲＳＳＩ）を検出する。ＲＳＳＩ検出部１４５により検出されたＲＳＳＩは、遅延処理部１４６に入力される。遅延処理部１４６は、フィルタ１４２を通過したデジタル信号が復調部１４３により復調されるまでの間、ＲＳＳＩの出力を遅延させる。遅延後、ＲＳＳＩは、ＭＡＣ処理部１４４に入力される。なお、受信感度の調整を実行する場合、ＭＡＣ処理部１４４は、入力されたＲＳＳＩをフィルタ１４２の閾値に設定する。この閾値の設定により、自身が接続していないネットワーク内の機器から送信されたデジタル信号をフィルタ１４２により排除できるようになる。
【００７４】
以上、無線処理部１１４、１２４、１３４の受信ブロックの構成例について説明した。
【００７５】
［２−２：感度調整方法（アクセスポイント１１０の場合）］
次に、本実施形態に係る感度調整方法について説明する。
【００７６】
（２−２−１：基本構成）
次に、図８及び図９を参照しながら、本実施形態に係る感度調整方法の基本的な構成について説明する。図８及び図９は、本実施形態に係る感度調整方法の基本的な構成について説明するための説明図である。なお、以下で説明する感度調整方法は、アクセスポイント１１０に関するものである。また、ここで説明する感度調整方法は、主に無線処理部１１４の機能により実現される。
【００７７】
図８に示すように、感度調整を開始すると、無線処理部１１４は、タイマー＃１をスタートさせる（Ｓ１０１）。このタイマー＃１は、Ｎ秒をカウントアップするタイマーであるとする。また、無線処理部１１４は、タイマー＃１がＮ秒に達した場合、ステップＳ１０２〜Ｓ１０８の処理ステップを実行中でも処理をステップＡに進める。次いで、無線処理部１１４は、同じネットワークに接続している全ての装置に対し、感度調整の開始をブロードキャストで通知する（Ｓ１０２）。例えば、無線処理部１１４は、音声出力装置１２０及び音声再生装置１３０に感度調整の開始を通知する。
【００７８】
次いで、無線処理部１１４は、ステップＳ１０２で感度調整の開始を通知した全ての装置からＡＣＫを受信したか否かを判定する（Ｓ１０３）。全ての装置からＡＣＫを受信した場合、無線処理部１１４は、処理をステップＳ１０４に進める。一方、少なくとも１台の装置からＡＣＫを受信できなかった場合、無線処理部１１４は、処理をステップＳ１０３に戻し、ステップＳ１０３の処理を繰り返す。
【００７９】
処理をステップＳ１０４に進めた場合、無線処理部１１４は、受信待ち受け状態になり、信号を受信したか否かを判定する（Ｓ１０４）。信号を受信した場合、無線処理部１１４は、処理をステップＳ１０５に進める。一方、信号を受信していない場合、無線処理部１１４は、処理をステップＳ１０４に戻し、ステップＳ１０４の処理を繰り返す。
【００８０】
処理をステップＳ１０５に進めた場合、無線処理部１１４は、受信した信号が非干渉信号であるか否かを判定する（Ｓ１０５）。つまり、無線処理部１１４は、受信した信号が、同じネットワークに接続された装置により送信された信号（非干渉信号）であるか否かを判定する。受信した信号が非干渉信号である場合、無線処理部１１４は、処理をステップＳ１０４に進める。一方、受信した信号が非干渉信号でない場合、無線処理部１１４は、処理をステップＳ１０６に進める。
【００８１】
処理をステップＳ１０６に進めた場合、無線処理部１１４は、受信した信号のＲＳＳＩを読み込む（Ｓ１０６）。次いで、無線処理部１１４は、フィルタ閾値ＸをＸ≧ＲＳＳＩに設定する（Ｓ１０７）。次いで、無線処理部１１４は、タイマー＃２をスタートさせ（Ｓ１０８）、処理をステップＳ１０４に進める。このタイマー＃２は、ｎ秒をカウントアップするタイマーであるとする。また、無線処理部１１４は、タイマー＃２がｎ秒に達した場合、ステップＳ１０４〜Ｓ１０８の処理ステップを実行中でも処理をステップＡに進める。
【００８２】
処理をステップＡに進めた場合、図９に示すように、無線処理部１１４は、インデックスｉを１に初期化する（Ｓ１０９）。次いで、無線処理部１１４は、同じネットワークに接続された装置のうち、ｉ番目の装置に対してデータ信号の送信を要求する（Ｓ１１０）。次いで、無線処理部１１４は、タイマー＃３をスタートさせる（Ｓ１１１）。このタイマー＃３は、ｍ秒をカウントアップするタイマーであるとする。また、無線処理部１１４は、タイマー＃３がｍ秒に達した場合、ステップＳ１１２〜Ｓ１１４の処理ステップを実行中でも処理をステップＳ１１６に進める。
【００８３】
次いで、無線処理部１１４は、ｉ番目の装置からデータ信号を受信し（Ｓ１１２）、処理をステップＳ１１３に進める。但し、ｉ番目の装置からデータ信号を受信できない場合、無線処理部１１４は、ｉ番目の装置からデータ信号が受信されるまで待機する。処理をステップＳ１１３に進めた場合、無線処理部１１４は、ｉ＝ＭＡＸか否かを判定する（Ｓ１１３）。但し、ＭＡＸは、同じネットワークに接続された装置の総数である。ｉ＝ＭＡＸの場合、無線処理部１１４は、処理をステップＳ１１５に進める。一方、ｉ≠ＭＡＸの場合、無線処理部１１４は、処理をステップＳ１１４に進める。
【００８４】
処理をステップＳ１１４に進めた場合、無線処理部１１４は、インデックスｉを１だけインクリメントし（Ｓ１１４）、処理をステップＳ１１０に進める。一方、処理をステップＳ１１５に進めた場合、無線処理部１１４は、同じネットワークに接続された全ての装置に対して感度調整の終了を通知し（Ｓ１１５）、感度調整に関する一連の処理を終了する。
【００８５】
また、処理の途中でタイマー＃３がタイムアウトし、処理をステップＳ１１６に進めた場合、無線処理部１１４は、感度調整が失敗したものとしてエラー処理を実行する（Ｓ１１６）。例えば、図１０に示すように、無線処理部１１４は、データ信号を受信できなかった装置の情報を表示デバイス（非図示）に表示する。このとき、その装置の設置位置を変更するようにユーザに促してもよい。また、図１１に示すように、無線処理部１１４は、データ信号を受信できなかった装置を対象に感度調整を再実行する。
【００８６】
以上、本実施形態に係る感度調整方法の基本的な構成について説明した。
【００８７】
（２−２−２：変形例＃１（チャンネル変更））
次に、図１２及び図１３を参照しながら、本実施形態の一変形例（変形例＃１）に係る感度調整方法の構成について説明する。図１２及び図１３は、本実施形態の一変形例（変形例＃１）に係る感度調整方法の構成について説明するための説明図である。なお、以下で説明する感度調整方法は、アクセスポイント１１０に関するものである。また、ここで説明する感度調整方法は、主に無線処理部１１４の機能により実現される。
【００８８】
図１２に示すように、感度調整を開始すると、無線処理部１１４は、タイマー＃１をスタートさせる（Ｓ１２１）。このタイマー＃１は、Ｎ秒をカウントアップするタイマーであるとする。また、無線処理部１１４は、タイマー＃１がＮ秒に達した場合、ステップＳ１２２〜Ｓ１２８の処理ステップを実行中でも処理をステップＡに進める。次いで、無線処理部１１４は、同じネットワークに接続している全ての装置に対し、感度調整の開始をブロードキャストで通知する（Ｓ１２２）。例えば、無線処理部１１４は、音声出力装置１２０及び音声再生装置１３０に感度調整の開始を通知する。
【００８９】
次いで、無線処理部１１４は、ステップＳ１２２で感度調整の開始を通知した全ての装置からＡＣＫを受信したか否かを判定する（Ｓ１２３）。全ての装置からＡＣＫを受信した場合、無線処理部１１４は、処理をステップＳ１２４に進める。一方、少なくとも１台の装置からＡＣＫを受信できなかった場合、無線処理部１１４は、処理をステップＳ１２３に戻し、ステップＳ１２３の処理を繰り返す。
【００９０】
処理をステップＳ１２４に進めた場合、無線処理部１１４は、受信待ち受け状態になり、信号を受信したか否かを判定する（Ｓ１２４）。信号を受信した場合、無線処理部１１４は、処理をステップＳ１２５に進める。一方、信号を受信していない場合、無線処理部１１４は、処理をステップＳ１２４に戻し、ステップＳ１２４の処理を繰り返す。
【００９１】
処理をステップＳ１２５に進めた場合、無線処理部１１４は、受信した信号が非干渉信号であるか否かを判定する（Ｓ１２５）。つまり、無線処理部１１４は、受信した信号が、同じネットワークに接続された装置により送信された信号（非干渉信号）であるか否かを判定する。受信した信号が非干渉信号である場合、無線処理部１１４は、処理をステップＳ１２４に進める。一方、受信した信号が非干渉信号でない場合、無線処理部１１４は、処理をステップＳ１２６に進める。
【００９２】
処理をステップＳ１２６に進めた場合、無線処理部１１４は、受信した信号のＲＳＳＩを読み込む（Ｓ１２６）。次いで、無線処理部１１４は、フィルタ閾値ＸをＸ≧ＲＳＳＩに設定する（Ｓ１２７）。次いで、無線処理部１１４は、タイマー＃２をスタートさせ（Ｓ１２８）、処理をステップＳ１２４に進める。このタイマー＃２は、ｎ秒をカウントアップするタイマーであるとする。また、無線処理部１１４は、タイマー＃２がｎ秒に達した場合、ステップＳ１２４〜Ｓ１２８の処理ステップを実行中でも処理をステップＡに進める。
【００９３】
処理をステップＡに進めた場合、図１３に示すように、無線処理部１１４は、インデックスｉを１に初期化する（Ｓ１２９）。次いで、無線処理部１１４は、同じネットワークに接続された装置のうち、ｉ番目の装置に対してデータ信号の送信を要求する（Ｓ１３０）。次いで、無線処理部１１４は、タイマー＃３をスタートさせる（Ｓ１３１）。このタイマー＃３は、ｍ秒をカウントアップするタイマーであるとする。また、無線処理部１１４は、タイマー＃３がｍ秒に達した場合、ステップＳ１３２〜Ｓ１３４の処理ステップを実行中でも処理をステップＳ１３６に進める。
【００９４】
次いで、無線処理部１１４は、ｉ番目の装置からデータ信号を受信し（Ｓ１３２）、処理をステップＳ１３３に進める。但し、ｉ番目の装置からデータ信号を受信できない場合、無線処理部１１４は、ｉ番目の装置からデータ信号が受信されるまで待機する。処理をステップＳ１３３に進めた場合、無線処理部１１４は、ｉ＝ＭＡＸか否かを判定する（Ｓ１３３）。但し、ＭＡＸは、同じネットワークに接続された装置の総数である。ｉ＝ＭＡＸの場合、無線処理部１１４は、処理をステップＳ１３５に進める。一方、ｉ≠ＭＡＸの場合、無線処理部１１４は、処理をステップＳ１３４に進める。
【００９５】
処理をステップＳ１３４に進めた場合、無線処理部１１４は、インデックスｉを１だけインクリメントし（Ｓ１３４）、処理をステップＳ１３０に進める。一方、処理をステップＳ１３５に進めた場合、無線処理部１１４は、同じネットワークに接続された全ての装置に対して感度調整の終了を通知し（Ｓ１３５）、感度調整に関する一連の処理を終了する。
【００９６】
また、処理の途中でタイマー＃３がタイムアウトし、処理をステップＳ１３６に進めた場合、無線処理部１１４は、同じネットワークに接続されている全ての装置に対して感度設定をリセットするように通知する（Ｓ１３６）。次いで、無線処理部１１４は、無線通信チャンネルを他のチャンネルに変更する（Ｓ１３７）。次いで、無線処理部１１４は、ネットワークの再接続を実行し（Ｓ１３８）、処理をステップＢに進める。つまり、無線処理部１１４は、ステップＳ１３８の処理を実行後、図１２のステップＳ１２１から再び感度調整の処理を実行し直す。
【００９７】
以上、本実施形態の一変形例（変形例＃１）に係る感度調整方法の構成について説明した。
【００９８】
（２−２−３：変形例＃２（段階的な感度の緩和））
次に、図１４及び図１５を参照しながら、本実施形態の一変形例（変形例＃２）に係る感度調整方法の構成について説明する。図１４及び図１５は、本実施形態の一変形例（変形例＃２）に係る感度調整方法の構成について説明するための説明図である。なお、以下で説明する感度調整方法は、アクセスポイント１１０に関するものである。また、ここで説明する感度調整方法は、主に無線処理部１１４の機能により実現される。但し、感度調整の開始からステップＡまでの処理は図８と同じであるため、ステップＡまでの処理に関する説明を省略する。
【００９９】
処理をステップＡに進めた場合、図１４に示すように、無線処理部１１４は、インデックスｉを１に初期化する（Ｓ１４１）。次いで、無線処理部１１４は、同じネットワークに接続された装置のうち、ｉ番目の装置に対してデータ信号の送信を要求する（Ｓ１４２）。次いで、無線処理部１１４は、タイマー＃３をスタートさせる（Ｓ１４３）。このタイマー＃３は、ｍ秒をカウントアップするタイマーであるとする。また、無線処理部１１４は、タイマー＃３がｍ秒に達した場合、ステップＳ１４４〜Ｓ１４６の処理ステップを実行中でも処理をステップＳ１４８に進める。
【０１００】
次いで、無線処理部１１４は、ｉ番目の装置からデータ信号を受信し（Ｓ１４４）、処理をステップＳ１４５に進める。但し、ｉ番目の装置からデータ信号を受信できない場合、無線処理部１１４は、ｉ番目の装置からデータ信号が受信されるまで待機する。処理をステップＳ１４５に進めた場合、無線処理部１１４は、ｉ＝ＭＡＸか否かを判定する（Ｓ１４５）。但し、ＭＡＸは、同じネットワークに接続された装置の総数である。ｉ＝ＭＡＸの場合、無線処理部１１４は、処理をステップＳ１４７に進める。一方、ｉ≠ＭＡＸの場合、無線処理部１１４は、処理をステップＳ１４６に進める。
【０１０１】
処理をステップＳ１４６に進めた場合、無線処理部１１４は、インデックスｉを１だけインクリメントし（Ｓ１４６）、処理をステップＳ１４２に進める。一方、処理をステップＳ１４７に進めた場合、無線処理部１１４は、同じネットワークに接続された全ての装置に対して感度調整の終了を通知し（Ｓ１４７）、感度調整に関する一連の処理を終了する。
【０１０２】
また、処理の途中でタイマー＃３がタイムアウトし、処理をステップＳ１４８に進めた場合、無線処理部１１４は、受信感度を１段階引き下げ（Ｓ１４８）、処理をステップＡに進める。つまり、無線処理部１１４は、図１５に示すように、フィルタ閾値Ｘを１段階引き上げる。引き上げる幅は、所定値であってもよいし、図１５に示すように、干渉信号を１つずつ許容するように干渉信号のＲＳＳＩに基づいて決められてもよい。感度を引き下げた後でも、データ信号を受信できなかった装置が存在する場合には、さらに１段階だけ感度が引き下げられる。これらの処理は、同じネットワークに接続された全ての装置からデータ信号を受信できるようになるまで繰り返し実行される。
【０１０３】
以上、本実施形態の一変形例（変形例＃２）に係る感度調整方法の構成について説明した。
【０１０４】
［２−３：感度調整方法（端末の場合）］
次に、図１６及び図１７を参照しながら、本実施形態に係る感度調整方法の構成について説明する。図１６及び図１７は、本実施形態に係る感度調整方法の構成について説明するための説明図である。なお、以下で説明する感度調整方法は、音声出力装置１２０及び音声再生装置１３０（端末）に関するものである。また、ここで説明する感度調整方法は、主に無線処理部１２４、１３４の機能により実現される。
【０１０５】
図１６に示すように、感度調整を開始すると、無線処理部１２４、１３４は、タイマーをスタートさせる（Ｓ２０１）。このタイマーは、Ｍ秒をカウントアップするタイマーであるとする。また、無線処理部１２４、１３４は、タイマーがＭ秒に達した場合、ステップＳ２０２〜Ｓ２０９の処理ステップを実行中でも処理をステップＢに進める。次いで、無線処理部１２４、１３４は、アクセスポイント１１０から、感度調整の開始通知を受信する（Ｓ２０２）。また、無線処理部１２４、１３４は、感度調整の開始通知を受信できたことを示すＡＣＫをアクセスポイント１１０に返す。
【０１０６】
次いで、無線処理部１２４、１３４は、受信待ち受け状態になり、信号を受信したか否かを判定する（Ｓ２０３）。信号を受信した場合、無線処理部１２４、１３４は、処理をステップＳ２０４に進める。一方、信号を受信していない場合、無線処理部１２４、１３４は、処理をステップＳ２０３に戻し、ステップＳ２０３の処理を繰り返す。処理をステップＳ２０４に進めた場合、無線処理部１２４、１３４は、受信した信号が非干渉信号であるか否かを判定する（Ｓ２０４）。つまり、無線処理部１２４、１３４は、受信した信号が、同じネットワークに接続された装置により送信された信号（非干渉信号）であるか否かを判定する。
【０１０７】
受信した信号が非干渉信号である場合、無線処理部１２４、１３４は、処理をステップＳ２０５に進める。一方、受信した信号が非干渉信号でない場合、無線処理部１２４、１３４は、処理をステップＳ２０６に進める。処理をステップＳ２０５に進めた場合、無線処理部１２４、１３４は、受信した非干渉信号がアクセスポイント１１０から送信されたデータ信号の送信要求であるか否かを判定する（Ｓ２０５）。データ信号の送信要求である場合、無線処理部１２４、１３４は、処理をステップＡに進める。一方、データ信号の送信要求でない場合、無線処理部１２４、１３４は、処理をステップＳ２０４に進める。
【０１０８】
処理をステップＳ２０６に進めた場合、無線処理部１２４、１３４は、受信した信号のＲＳＳＩを読み込む（Ｓ２０６）。次いで、無線処理部１２４、１３４は、フィルタ閾値ＸをＸ≧ＲＳＳＩに設定し（Ｓ２０７）、処理をステップＳ２０４に進める。
【０１０９】
処理をステップＡに進めた場合、図１７に示すように、無線処理部１２４、１３４は、アクセスポイント１１０にデータ信号を送信する（Ｓ２０８）。次いで、無線処理部１２４、１３４は、感度調整の終了通知をアクセスポイント１１０から受信し（Ｓ２０９）、処理をステップＳ２１０に進める。但し、無線処理部１２４、１３４は、感度調整の終了通知をアクセスポイント１１０から受信できない場合、そのまま待機する。処理をステップＳ２１０に進めた場合、無線処理部１２４、１３４は、タイマーを停止し（Ｓ２１０）、感度調整に関する一連の処理を終了する。
【０１１０】
また、処理の途中でタイマーがタイムアウトし、処理をステップＢに進めた場合、無線処理部１２４、１３４は、フィルタ閾値Ｘを所定値に戻し（Ｓ２１１）、感度調整に関する一連の処理を終了する。
【０１１１】
以上、本実施形態に係る感度調整方法の構成について説明した。
【０１１２】
［２−４：ＡＣＫを確実に受信するための構成］
これまで説明してきたように、感度調整の開始通知、感度調整の終了通知、データ信号の送信要求、送信要求に応じたデータ信号の送信など、感度調整を行う上で様々な信号のやり取りが生じる。受信側の装置は、信号を正しく受信できた場合に送信側の装置に対してＡＣＫを返す。
【０１１３】
ＣＳＭＡ／ＣＡ方式の場合、図１８に示すように、ＡＣＫは、信号（送信データ）の送信後、ＳＩＦＳ（Ｓｈｏｒｔ  Ｉｎｔｅｒ  Ｆｒａｍｅ  Ｓｐａｃｅ）の期間をおいた直後に返す決まりになっている。そのため、ＡＣＫを返すタイミングを予測することができる。
【０１１４】
そこで、無線処理部１１４、１２４、１３４は、ＡＣＫを返すタイミングを予測し、図１８に示すように、ＡＣＫを受信する期間だけフィルタ閾値Ｘを引き下げる。このようにフィルタ閾値Ｘを調整することで、確実にＡＣＫを受信することが可能になる。ＡＣＫを確実に受信することができるようになると、パケットの再送制御を行う機会を減らすことが可能になり、実質的なデータ伝送効率を高めることが可能になる。
【０１１５】
＜３：まとめ＞
最後に、本実施形態に係る技術的思想について簡単に纏める。以下に記載する技術的思想は、例えば、ＰＣ、携帯電話、ゲーム機、携帯情報端末、情報家電、カーナビゲーションシステム、テレビジョン受像機、映像再生装置、映像録画再生装置、音楽再生装置、音楽出力装置等、種々の機器に対して適用することができる。
【０１１６】
上記の機器の機能構成は次のように表現することができる。当該機器は、以下に示すフィルタ、信号判定部、閾値調整部を有する。当該フィルタは、強度が閾値を下回る信号を排除するものである。また、上記の信号判別部は、自装置が接続しているネットワークで送受信される非干渉信号と、自装置が接続していないネットワークで送受信される干渉信号とを判別するものである。上記の閾値調整部は、干渉信号が前記フィルタを通過した場合に、前記フィルタにより当該干渉信号が排除されるレベルまで前記閾値を引き上げるものである。
【０１１７】
上記の機器は、同じネットワーク内にある機器が送受信する信号を非干渉信号とみなし、異なるネットワーク内にある機器が送受信する信号を干渉信号とみなす。そして、上記の機器は、干渉信号を受信した場合にフィルタにより干渉信号を排除する。また、上記の機器は、干渉信号がフィルタを通過した場合、その干渉信号がフィルタを通過しないレベルまで閾値を引き上げる。つまり、上記の機器は、干渉信号の受信に応じて受信感度を調整する。
【０１１８】
かかる構成により、外来ノイズだけでなく、近隣のネットワークで送受信される信号（干渉信号）を排除することが可能になる。その結果、干渉信号の送信が停止するまで信号の送信を停止するようなタイミング制御の発動を抑制することが可能になり、干渉信号の受信に応じたタイミング制御により信号の継続的な送受信が妨げられる機会を低減することが可能になる。例えば、ストリーミング配信される映像や音声などのデータを伝送する場合に、上記のようなタイミング制御により、そのデータの伝送が途中で途切れてしまう不具合を回避することが可能になる。
【０１１９】
（備考）
上記のＭＡＣ処理部１４４は、信号判別部、閾値調整部の一例である。上記の無線処理部１１４、１２４、１３４は、信号送信部、信号受信部、受信期間予測部、信号要求部、チャンネル変更部の一例である。上記のアクセスポイント１１０、音声出力装置１２０、音声再生装置１３０は、無線通信装置の一例である。また、上記の音声配信システム１００は、無線通信システムの一例である。
【０１２０】
以上、添付図面を参照しながら本技術に係る好適な実施形態について説明したが、本技術はここで開示した構成例に限定されないことは言うまでもない。当業者であれば、特許請求の範囲に記載された範疇内において、各種の変更例又は修正例に想到し得ることは明らかであり、それらについても当然に本技術の技術的範囲に属するものと了解される。
【０１２１】
例えば、上記の説明においては、一例として音声データをストリーミング配信する構成について説明したが、映像データをストリーミング配信する構成に変形してもよい。また、ＩＥＥＥ８０２．１１に基づく無線ＬＡＮを意識して説明を進めてきたが、他の無線通信方式に基づく無線伝送技術に転用することも可能である。例えば、Ｂｌｕｅｔｏｏｔｈ（登録商標）やＷｉｒｅｌｅｓｓ  ＵＳＢなどの技術への転用も可能である。さらに、ＣＳＭＡ／ＣＡに基づくタイミング制御を意識して説明を進めてきたが、その他の再送制御技術を採用したシステムに対しても本実施形態の技術は有効である。
【０１２２】
また、ストリーミング配信を意識して説明を進めてきたが、環境に応じて自動的に好適な受信感度を設定する技術と捉えれば、本実施形態に係る技術は、環境適応型のスループット向上技術と捉えることも可能である。このように、上記説明の中で述べた具体的な事項は、本実施形態の適用範囲を制限するものではなく、技術の理解を助けるために例示した事項である。従って、現在及び将来における技術常識に鑑みて本実施形態の適用範囲は想定されるべきである。
【符号の説明】
【０１２３】
１０、２０    家屋
１１、２１    無線通信端末
１２、２２    アクセスポイント
１００    音声配信システム
１１０    アクセスポイント
１１１    アンテナ
１１２    アンテナスイッチ
１１３    ＲＦ処理部
１１４    無線処理部
１１５    制御部
１１６    メモリ
１２０    音声出力装置
１２１    アンテナ
１２２    アンテナスイッチ
１２３    ＲＦ処理部
１２４    無線処理部
１２５    音声処理部
１２６    制御部
１２７    音声出力部
１２８    メモリ
１３０    音声再生装置
１３１    アンテナ
１３２    アンテナスイッチ
１３３    ＲＦ処理部
１３４    無線処理部
１３５    音声処理部
１３６    制御部
１３７    音声再生部
１３８    メモリ
１４１    ＡＤコンバータ
１４２    フィルタ
１４３    復調部
１４４    ＭＡＣ処理部
１４５    ＲＳＳＩ検出部
１４６    遅延処理部
【図１】
2012195816.tif 000003
【図２】
2012195816.tif 000004
【図３】
2012195816.tif 000005
【図４】
2012195816.tif 000006
【図５】
2012195816.tif 000007
【図６】
2012195816.tif 000008
【図７】
2012195816.tif 000009
【図８】
2012195816.tif 000010
【図９】
2012195816.tif 000011
【図１０】
2012195816.tif 000012
【図１１】
2012195816.tif 000013
【図１２】
2012195816.tif 000014
【図１３】
2012195816.tif 000015
【図１４】
2012195816.tif 000016
【図１５】
2012195816.tif 000017
【図１６】
2012195816.tif 000018
【図１７】
2012195816.tif 000019
【図１８】
2012195816.tif 000020